(57)【特許請求の範囲】
【請求項１】
近距離通信網を介して第１の移動通信端末および第２の移動通信端末に接続され、第２の移動通信端末を介してサービスサーバーに接続されるが、第１の移動通信端末の認証情報を用いてサービスを利用する終端端末と、
近距離通信網を介して前記終端端末に接続され、移動通信網を介してサービスサーバーと接続され、第１の移動通信端末の認証情報を利用する終端端末を前記サービスサーバーに接続させる第２の移動通信端末と、
移動通信網を介して前記第１の移動通信端末および第２の移動通信端末に接続され、前記第１の移動通信端末の認証情報を利用する終端端末が第２の移動通信端末を介してサービスを利用するように認証するサービスサーバーと、
を備える、他の移動通信端末の認証情報を利用する終端端末へのサービス提供システム。
【請求項２】
前記サービスサーバーは、前記終端端末と、第２の移動通信端末によって選択された認証オプションとが一致する場合に限ってサービス利用を認証することを特徴とする請求項１に記載の他の移動通信端末の認証情報を利用する終端端末へのサービス提供システム。
【請求項３】
前記認証オプションは、サービスの利用に伴う課金を第１の移動通信端末に対してのみ行うか、あるいは、第１の移動通信端末および第２の移動通信端末の両方に対して行うかに対する選択肢を含むことを特徴とする請求項２に記載の他の移動通信端末の認証情報を利用する終端端末へのサービス提供システム。
【請求項４】
移動通信網または有線通信網を介して前記サービスサーバーと接続され、前記終端端末にサービスが提供された場合に、認証オプションに応じて前記第１の移動通信端末または第２の移動移動通信端末に対して課金を行う課金サーバー
をさらに備えることを特徴とする請求項３に記載の他の移動通信端末の認証情報を利用する終端端末へのサービス提供システム。
【請求項５】
移動通信網を介してデータを送受信する通信部と、
前記通信部を介して受信された第１の移動通信端末および第２の移動通信端末の情報を管理する移動通信端末管理部と、
前記通信部を介して受信された終端端末の情報を管理する終端端末管理部と、
前記第１の移動通信端末と終端端末との間、および第２の移動通信端末と終端端末との間の通信を中継する近距離通信網の情報を管理する近距離通信網管理部と、
前記第１の移動通信端末および第２の移動通信端末の情報、終端端末の情報、近距離通信網の情報および終端端末に提供された第１の移動通信端末の認証情報を記憶する記憶部と、
各構成要素の動作を制御し、前記終端端末の要請に応じて第１の移動通信端末の認証情報を提供するように前記通信部を制御し、第２の移動通信端末を介して接続された終端端末が第１の移動通信端末の認証情報を提供した場合に前記終端端末にサービス利用を認証する制御部と、
を備える、他の移動通信端末の認証情報を利用する終端端末へのサービス提供のためのサービスサーバー。
【請求項６】
前記制御部は、前記終端端末と、第２の移動通信端末によって選択された認証オプションとが一致する場合に限ってサービス利用を認証することを特徴とする請求項５に記載の他の移動通信端末の認証情報を利用する終端端末へのサービス提供のためのサービスサーバー。
【請求項７】
移動通信網を介してデータを送受信する第１の通信部と、
近距離通信網を介してデータを送受信する第２の通信部と、
終端端末の情報を管理する終端端末管理部と、
自分の認証情報を記憶する記憶部と、
各構成要素の動作を制御するが、近距離通信網を介して接続された終端端末に対する認証オプションを選択し、前記終端端末に対する認証オプションと終端端末によって選択された認証オプションとが一致する場合に終端端末とサービスサーバーとの間の接続を承認する制御部と、
を備える、他の移動通信端末の認証情報を利用する終端端末への接続を許容する移動通信端末。
【請求項８】
近距離通信網を介してデータを送受信する通信部と、
ユーザーの指令が入力される入力部と、
サービスサーバーから受信されたサービス内容を再生する再生部と、
サービスサーバーから受信された第１の移動通信端末および第２の移動通信端末の認証情報を記憶する記憶部と、
各構成要素の動作を制御するが、入力部を介して入力されたユーザーの指令に応じて、サービスサーバーから第１の移動通信端末の認証情報を受信し、第２の移動通信端末と接続された場合に前記第１の移動通信端末の認証情報を第２の移動通信端末に送信し、入力部を介して入力された認証オプションを第２の移動通信端末に送信するように通信部を制御する制御部と、
を備える、他の移動通信端末の認証情報を用いてサービスを利用するための終端端末。
【請求項９】
終端端末が近距離通信網を介して第１の移動通信端末および第２の移動通信端末に接続され、前記第１の移動通信端末および第２の移動通信端末が移動通信網を介してサービスサーバーに接続され、前記サービスサーバーと課金サーバーとが有線通信網を介して接続されるシステムによるサービス提供方法であって、
前記終端端末が第１の移動通信端末を介してサービスサーバーに接続されるステップと、
前記終端端末がサービスサーバーに第１の移動通信端末の認証情報送信を要請するステップと、
前記サービスサーバーが前記第１の移動通信端末から認証情報の送信許容信号を受信して終端端末に第１の移動通信端末の認証情報を送信するステップと、
前記終端端末が第２の移動通信端末を介してサービスサーバーに接続されて第１の移動通信端末の認証情報を送信するステップと、
前記サービスサーバーが、前記終端端末と、第２の移動通信端末によって選択された認証オプションとが一致するか否かを確認するステップと、
前記サービスサーバーが、前記終端端末と、第２の移動通信端末によって選択された認証オプションとが一致する場合に、終端端末にサービスを提供するステップと、
を含む、他の移動通信端末の認証情報を利用する終端端末へのサービス提供方法。
【請求項１０】
前記認証オプションは、サービスの利用に伴う課金を第１の移動通信端末に対してのみ行うか、あるいは、第１の移動通信端末および第２の移動通信端末の両方に対して行うかに対する選択肢を含むことを特徴とする請求項９に記載の他の移動通信端末の認証情報を利用する終端端末へのサービス提供方法。
【請求項１１】
前記サービスサーバーがサービスを提供した後、課金サーバーが、認証オプションに応じて、前記第１の移動通信端末または第２の移動移動通信端末に対して課金を行うステップ
をさらに含むことを特徴とする請求項９に記載の他の移動通信端末の認証情報を利用する終端端末へのサービス提供方法。
【請求項１２】
終端端末から第１の移動通信端末の認証情報要請を受けるステップと、
前記第１の移動通信端末の承認によって終端端末に第１の移動通信端末の認証情報を提供するステップと、
第２の移動通信端末を介して第１の移動通信端末の認証情報を有する終端端末の接続要請を受けるステップと、
前記終端端末と、第２の移動通信端末によって選択された認証オプションとが一致するか否かを確認するステップと、
前記終端端末と、第２の移動通信端末によって選択された認証オプションとが一致する場合に前記終端端末にサービスを提供するステップと、
を含む、サービスサーバーによる他の移動通信端末の認証情報を利用する終端端末へのサービス提供方法。
【請求項１３】
他の移動通信端末の認証情報を有する終端端末が接続されるステップと、
前記認証情報をサービスサーバーに転送し、終端端末に対する認証オプションを選択して終端端末によって選択された認証オプションと一致するか否かを確認するステップと、
選択された終端端末に対する認証オプションと、終端端末によって選択された認証オプションとが一致する場合に、前記終端端末とサービスサーバーとの間の接続を中継するステップと、
を含む、移動通信端末による他の移動通信端末の認証情報を利用する終端端末への接続許容方法。
【請求項１４】
サービスサーバーに第１の移動通信端末の認証情報を要請するステップと、
サービスサーバーから認証情報を受信して記憶するステップと、
認証オプションを選択するステップと、
サービスサーバーの認証によって第２の移動通信端末を介してサービスを利用するステップと、
を含む、終端端末による他の移動通信端末の認証情報を用いたサービス利用方法。
【請求項１５】
請求項１２に記載のサービスサーバーによる他の移動通信端末の認証情報を利用する終端端末へのサービス提供方法をプログラムとして記憶した記憶媒体。
【請求項１６】
請求項１３に記載の移動通信端末による他の移動通信端末の認証情報を利用する終端端末への接続許容方法をプログラムとして記憶した記憶媒体。
【請求項１７】
請求項１４に記載の終端端末による他の移動通信端末の認証情報を用いたサービス利用方法をプログラムとして記憶した記憶媒体。
【発明の詳細な説明】
【技術分野】
【０００１】
本発明は他の移動通信端末の認証情報を利用する終端端末へのサービス提供システム、方法、サービスサーバー、移動通信端末、終端端末および記憶媒体に係り、さらに詳しくは、終端端末の有する認証情報が現在接続中の移動通信端末の認証情報ではない場合にも終端端末がサービスを利用できるようにする技術に関する。
【背景技術】
【０００２】
最近の情報通信技術の発展には目を見張るものがあり、これに伴い、文書、イメージおよび動画など（以下、説明の便宜のために、特に言及のない限り、「文書、イメージおよび動画など」は、「コンテンツ」と略称する。）を再生可能なＭＰ３（ＭＰＥＧオーディオレイヤー）プレーヤー、パーソナルマルチメディアプレーヤー（ＰＭＰ：Ｐｅｒｓｏｎａｌ  Ｍｕｌｔｉｍｅｄｉａ  Ｐｌａｙｅｒ）、ウルトラモバイルパソコン（ＵＭＰＣ：Ｕｌｔｒａ  Ｍｏｂｉｌｅ  Ｐｅｒｓｏｎａｌ  Ｃｏｍｐｕｔｅｒ）などの様々な終端端末が用いられている。この種の終端端末は、ユーザーが所望するコンテンツをパソコン（ＰＣ）からダウンロードして再生するが、ユーザーが移動中であるか、あるいは、ＰＣと接続不能な状況では所望のコンテンツをダウンロードすることができないという不都合がある。
【０００３】
上述した不都合を解消するために、終端端末にブルーテゥース、ウルトラワイドバンド（ＵＷＢ：Ｕｌｔｒａ  Ｗｉｄｅ  Ｂａｎｄ）などの近距離無線通信網に接続可能な通信手段を付加し、終端端末と移動通信端末とを近距離通信網を介して接続する技術が提案されている。これにより、ユーザーは、本人所有の終端端末および移動通信端末を介して所望のサービスの提供を受けることができる。
【０００４】
一方、ユーザー所有の移動通信端末を故障、バッテリー放電など何らかの原因により使用することができない場合がある。この場合、ユーザーは、移動通信端末が正常に使用可能な状態になることを待ったり、他のユーザーが所有している移動通信端末を介してサービスの提供を受けたりしなければならない。このとき、サービス利用に伴う課金が行われる場合に、ユーザーおよび他のユーザーは他のユーザーが所有している移動通信端末への課金料金に対して打ち合わせを行うことを余儀なくされるため、この場合には適用し難いという問題が発生する。
【発明の概要】
【発明が解決しようとする課題】
【０００５】
本発明は上述した従来の技術による問題点を解消するためになされたものであり、その目的は、終端端末を使用するユーザーが他のユーザーが所有している移動通信端末を介してサービスの提供を受ける場合に、ユーザー所有の移動通信端末に課金などが行われて課金の打ち合わせなどの過程なしにもサービスを容易に利用できるようにする技術を提供するところにある。
【課題を解決するための手段】
【０００６】
上述した目的を達成するために、本発明の実施形態に係る他の移動通信端末の認証情報を利用する終端端末へのサービス提供システムは、近距離通信網を介して第１の移動通信端末および第２の移動通信端末に接続され、第２の移動通信端末を介してサービスサーバーに接続されるが、第１の移動通信端末の認証情報を用いてサービスを利用する終端端末と、近距離通信網を介して前記終端端末に接続され、移動通信網を介してサービスサーバーと接続され、第１の移動通信端末の認証情報を利用する終端端末を前記サービスサーバーに接続させる第２の移動通信端末と、移動通信網を介して前記第１の移動通信端末および第２の移動通信端末に接続され、前記第１の移動通信端末の認証情報を利用する終端端末が第２の移動通信端末を介してサービスを利用するように認証するサービスサーバーと、を備える。
【０００７】
前記他の移動通信端末の認証情報を利用する終端端末へのサービス提供システムにおいて、前記サービスサーバーは、前記終端端末と、第２の移動通信端末によって選択された認証オプションとが一致する場合に限ってサービス利用を認証してもよい。
【０００８】
前記他の移動通信端末の認証情報を利用する終端端末へのサービス提供システムにおいて、前記認証オプションは、サービスの利用に伴う課金を第１の移動通信端末に対してのみ行うか、あるいは、第１の移動通信端末および第２の移動通信端末の両方に対して行うかに対する選択肢を含んでいてもよい。
【０００９】
前記他の移動通信端末の認証情報を利用する終端端末へのサービス提供システムは、移動通信網または有線通信網を介して前記サービスサーバーと接続され、前記終端端末にサービスが提供された場合に、認証オプションに応じて前記第１の移動通信端末または第２の移動移動通信端末に対して課金を行う課金サーバーをさらに備えていてもよい。
【００１０】
上述した目的を達成するために、本発明の他の実施形態に係る他の移動通信端末の認証情報を利用する終端端末へのサービス提供方法は、終端端末が近距離通信網を介して第１の移動通信端末および第２の移動通信端末に接続され、前記第１の移動通信端末および第２の移動通信端末が移動通信網を介してサービスサーバーに接続され、前記サービスサーバーと課金サーバーとが有線通信網を介して接続されるシステムによるサービス提供方法であって、前記終端端末が第１の移動通信端末を介してサービスサーバーに接続されるステップと、前記終端端末がサービスサーバーに第１の移動通信端末の認証情報送信を要請するステップと、前記サービスサーバーが前記第１の移動通信端末から認証情報の送信許容信号を受信して終端端末に第１の移動通信端末の認証情報を送信するステップと、前記終端端末が第２の移動通信端末を介してサービスサーバーに接続されて第１の移動通信端末の認証情報を送信するステップと、前記サービスサーバーが、前記終端端末と、第２の移動通信端末によって選択された認証オプションとが一致するか否かを確認するステップと、前記サービスサーバーが、前記終端端末と、第２の移動通信端末によって選択された認証オプションとが一致する場合に、終端端末にサービスを提供するステップと、を含む。
【００１１】
前記他の移動通信端末の認証情報を利用する終端端末へのサービス提供方法において、前記認証オプションは、サービスの利用に伴う課金を第１の移動通信端末に対してのみ行うか、あるいは、第１の移動通信端末および第２の移動通信端末の両方に対して行うかに対する選択肢を含んでいてもよい。
【００１２】
前記他の移動通信端末の認証情報を利用する終端端末へのサービス提供方法は、前記サービスサーバーがサービスを提供した後、課金サーバーが、認証オプションに応じて、前記第１の移動通信端末または第２の移動移動通信端末に対して課金を行うステップをさらに含んでいてもよい。
【００１３】
上述した目的を達成するために、本発明のさらに他の実施形態に係る他の移動通信端末の認証情報を利用する終端端末へのサービス提供のためのサービスサーバーは、移動通信網を介してデータを送受信する通信部と、前記通信部を介して受信された第１の移動通信端末および第２の移動通信端末の情報を管理する移動通信端末管理部と、前記通信部を介して受信された終端端末の情報を管理する終端端末管理部と、前記第１の移動通信端末と終端端末との間、および第２の移動通信端末と終端端末との間の通信を中継する近距離通信網の情報を管理する近距離通信網管理部と、前記第１の移動通信端末および第２の移動通信端末の情報、終端端末の情報、近距離通信網の情報および終端端末に提供された第１の移動通信端末の認証情報を記憶する記憶部と、各構成要素の動作を制御し、前記終端端末の要請に応じて第１の移動通信端末の認証情報を提供するように前記通信部を制御し、第２の移動通信端末を介して接続された終端端末が第１の移動通信端末の認証情報を提供した場合に前記終端端末にサービス利用を認証する制御部と、を備える。
【００１４】
前記他の移動通信端末の認証情報を利用する終端端末へのサービス提供のためのサービスサーバーにおいて、前記制御部は、前記終端端末と、第２の移動通信端末によって選択された認証オプションとが一致する場合に限ってサービス利用を認証してもよい。
【００１５】
上述した目的を達成するために、本発明のさらに他の実施形態に係るサービスサーバーによる他の移動通信端末の認証情報を利用する終端端末へのサービス提供方法は、終端端末から第１の移動通信端末の認証情報要請を受けるステップと、前記第１の移動通信端末の承認によって終端端末に第１の移動通信端末の認証情報を提供するステップと、第２の移動通信端末を介して第１の移動通信端末の認証情報を有する終端端末の接続要請を受けるステップと、前記終端端末と、第２の移動通信端末によって選択された認証オプションとが一致するか否かを確認するステップと、認証オプションが一致する場合に前記終端端末にサービスを提供するステップと、を含む。
【００１６】
上述した目的を達成するために、本発明のさらに他の実施形態に係る記憶媒体は、上述したサービスサーバーによる他の移動通信端末の認証情報を利用する終端端末へのサービス提供方法をプログラムとして記憶する。
【００１７】
上述した目的を達成するために、本発明のさらに他の実施形態に係る他の移動通信端末の認証情報を利用する終端端末への接続を許容する移動通信端末は、移動通信網を介してデータを送受信する第１の通信部と、近距離通信網を介してデータを送受信する第２の通信部と、終端端末の情報を管理する終端端末管理部と、自分の認証情報を記憶する記憶部と、各構成要素の動作を制御するが、近距離通信網を介して接続された終端端末に対する認証オプションを選択し、終端端末によって選択された認証オプションと一致する場合に終端端末とサービスサーバーとの間の接続を承認する制御部と、を備える。
【００１８】
上述した目的を達成するために、本発明のさらに他の実施形態に係る移動通信端末による他の移動通信端末の認証情報を利用する終端端末への接続許容方法は、他の移動通信端末の認証情報を有する終端端末が接続されるステップと、前記認証情報をサービスサーバーに転送し、終端端末に対する認証オプションを選択して終端端末によって選択された認証オプションと一致するか否かを確認するステップと、選択された終端端末に対する認証オプションと、終端端末によって選択された認証オプションとが一致する場合に、前記終端端末とサービスサーバーとの間の接続を中継するステップと、を含む。
【００１９】
上述した目的を達成するために、本発明のさらに他の実施形態に係る記憶媒体は、上述した移動通信端末による他の移動通信端末の認証情報を利用する終端端末への接続許容方法をプログラムとして記憶する。
【００２０】
上述した目的を達成するために、本発明のさらに他の実施形態に係る他の移動通信端末の認証情報を用いてサービスを利用するための終端端末は、近距離通信網を介してデータを送受信する通信部と、ユーザーの指令が入力される入力部と、サービスサーバーから受信されたサービス内容を再生する再生部と、サービスサーバーから受信された第１の移動通信端末および第２の移動通信端末の認証情報を記憶する記憶部と、各構成要素の動作を制御するが、入力部を介して入力されたユーザーの指令に応じて、サービスサーバーに第１の移動通信端末の認証情報を受信し、第２の移動通信端末と接続された場合に前記第１の移動通信端末の認証情報を第２の移動通信端末に送信し、入力部を介して入力された認証オプションを第２の移動通信端末に送信するように通信部を制御する制御部と、を備える。
【００２１】
上述した目的を達成するために、本発明のさらに他の実施形態に係る終端端末による他の移動通信端末の認証情報を用いたサービス利用方法は、サービスサーバーに第１の移動通信端末の認証情報を要請するステップと、サービスサーバーから認証情報を受信して記憶するステップと、認証オプションを選択するステップと、サービスサーバーの認証によってサービスを利用するステップと、を含む。
【００２２】
上述した目的を達成するために、本発明のさらに他の実施形態に係る記憶媒体は、上述した終端端末による他の移動通信端末の認証情報を用いたサービス利用方法をプログラムとして記憶する。
【図面の簡単な説明】
【００２３】
【図１】本発明の実施形態に係るサービス提供システムのブロック図である。
【図２】本発明の実施形態に係るサービス提供方法のフローチャートである。
【図３】本発明の実施形態に係るサービスサーバーのブロック図である。
【図４】本発明の実施形態に係るサービスサーバーによるサービス提供方法のフローチャートである。
【図５】本発明の実施形態に係る移動通信端末のブロック図である。
【図６】本発明の実施形態に係る移動通信端末による接続許容方法のフローチャートである。
【図７】本発明の実施形態に係る終端端末のブロック図である。
【図８】本発明の実施形態に係る終端端末によるサービス利用方法のフローチャートである。
【発明を実施するための形態】
【００２４】
以下、添付図面に基づき、本発明の実施形態を説明する。
以下、本発明を説明するに当たって、関連された公知機能または構成に関する具体的な説明が本発明の要旨を余計に曖昧にする虞があると認められる場合にはその詳細な説明は省略する。なお、後述する用語は本発明における機能を考慮して設定された用語であり、これらの用語は製品を生産する生産者の意図または慣例によって異なり、用語の定義は本明細書全般に亘っての内容に基づいて下されるべきである。
【００２５】
まず、図１に基づき、本発明の実施形態に係る他の移動通信端末の認証情報を利用する終端端末へのサービス提供システムを説明する。
【００２６】
図１は、本発明の実施形態に係るサービス提供システムのブロック図である。
図１に示すように、本実施形態に係る他の移動通信端末の認証情報を利用する終端端末へのサービス提供システム１００（以下、説明の便宜のために、特に言及のない限り、「他の移動通信端末の認証情報を利用する終端端末へのサービス提供システム」は、「サービス提供システム」と略称する。）は、有線通信網１０１および／または移動通信網１０２を介してサービスサーバー１１０と、アプリケーションサーバー１２０および課金サーバー１３０が接続され、移動通信網１０２を介してサービスサーバー１１０と第１の移動通信端末１４０および第２の移動通信端末１４２が接続され、近距離通信網１０３を介して第１の移動通信端末１４０および終端端末１５０、または第２の移動通信端末１４２および終端端末１５０が接続された構成を有する。このとき、近距離通信網としては、無線ＬＡＮ、ブルーテゥース、ＵＷＢなどが使用可能である。なお、アプリケーションサーバー１２０および／または課金サーバー１３０は、サービスサーバー１１０の構成要素として含まれる。
【００２７】
終端端末１５０は、第２の移動通信端末１４２を介してサービスサーバー１１０に接続されるが、第１の移動通信端末１１０の認証情報を用いてサービスを利用する。
【００２８】
第１の移動通信端末１４０は、終端端末１５０が認証情報を利用できるように許容する。
【００２９】
第２の移動通信端末１４２は、第１の移動通信端末１４０の認証情報を利用する終端端末１５０をサービスサーバー１１０に接続させる。ここで、第１の移動通信端末１４０、第２の移動通信端末１４２および終端端末１５０は同じ近距離通信網１０３を介して接続されていると示してあるが、本発明はこれに特に限定されるものではなく、異なる近距離通信網１０３を介して接続されてもよいことに留意されたい。すなわち、第１の移動通信端末および終端端末が一つの近距離通信網を介して接続された後、終端端末が他の場所に移動した場合に他の近距離通信網を介して第２の移動通信端末および終端端末が接続されることもある。このため、終端端末と第２の移動通信端末との間の接続は、終端端末と第１の移動通信端末との間の接続に比べて、物理的・時間的に差分があることに留意されたい。
【００３０】
サービスサーバー１１０は、第１の移動通信端末１４０の認証情報を利用する終端端末１５０が第２の移動通信端末１４２を介してサービスを利用するように認証する。また、サービスサーバー１１０は、終端端末１５０が利用しようとするサービスを提供する。場合によって、サービスは、アプリケーションサーバー１２０から提供されることもある点に留意されたい。サービスサーバー１１０は、終端端末１５０と、第２の移動通信端末１４２とによって選択された認証オプションが一致する場合に限って終端端末のサービス利用を認証することが好ましい。ここで、認証オプションは、サービスの利用に伴う課金を第１の移動通信端末に対してのみ行うか、あるいは、第１の移動通信端末および第２の移動通信端末の両方に対して行うかに対する選択肢を含む。認証オプションの選択が一致しない場合には、サービスを提供することができなくなる。
【００３１】
アプリケーションサーバー１２０は、終端端末１５０が利用するサービス、コンテンツなどを記憶する。
【００３２】
課金サーバー１３０は、終端端末１５０にサービスが提供された場合に、認証オプションに応じて、第１の移動通信端末１４０および／または第２の移動移動通信端末１４２に対して課金を行う。
【００３３】
以下、図２に基づき、本発明の実施形態に係る他の移動通信端末の認証情報を利用する終端端末へのサービス提供方法を説明する。
【００３４】
図２は、本発明の実施形態に係るサービス提供方法のフローチャートである。
図２に示すように、本実施形態に係る他の移動通信端末の認証情報を利用する終端端末へのサービス提供方法（以下、説明の便宜のために、特に言及のない限り、「他の移動通信端末の認証情報を利用する終端端末へのサービス提供方法」は、「サービス提供方法」と略称する。）は、終端端末が近距離通信網を介して第１の移動通信端末および第２の移動通信端末に接続され、第１の移動通信端末および第２の移動通信端末が移動通信網を介してサービスサーバーに接続され、サービスサーバーと課金サーバーとが有線通信網を介して接続されるシステムに適用される。
【００３５】
ステップ１において、終端端末が第１の移動通信端末を介してサービスサーバーに接続される（Ｓ１００）。終端端末がサービスサーバーに接続されるとき、サービスサーバーは、終端端末の情報、第１の移動通信端末の情報、近距離通信網の情報およびログイン情報などを受信して記憶する。
【００３６】
ステップ２において、終端端末がサービスサーバーに第１の移動通信端末の認証情報送信を要請する（Ｓ１１０）。
【００３７】
ステップ３において、サービスサーバーが第１の移動通信端末から認証情報送信許容信号を受信して終端端末に第１の移動通信端末の認証情報を送信する（Ｓ１２０）。認証情報が送信されれば、サービスサーバーは、第１の移動通信端末が認証情報送信を許容した旨を記録する。このような記録は、課金に際して課金の妥当性を立証するために必要である。認証情報には、ＵＳＩＭコード、加入者コードなどが含まれる。
【００３８】
ステップ４において、終端端末が第２の移動通信端末を介してサービスサーバーに接続されて第１の移動通信端末の認証情報を送信する（Ｓ１３０）。
【００３９】
ステップ５において、サービスサーバーが、終端端末と、第２の移動通信端末とによって選択された認証オプションが一致するか否かを確認する（Ｓ１４０）。このとき、認証オプションは、サービスの利用に伴う課金を第１の移動通信端末に対してのみ行うか、あるいは、第１の移動通信端末および第２の移動通信端末の両方に対して行うかに対する選択肢を含むことが好ましい。
【００４０】
ステップ６において、サービスサーバーが、終端端末と、第２の移動通信端末とによって選択された認証オプションが一致する場合に終端端末にサービスを提供する（Ｓ１５０）。ここで、ステップ６後に、課金サーバーが、認証オプションに応じて、第１の移動通信端末および／または第２の移動移動通信端末に対して課金を行うステップをさらに含んでいてもよい。
【００４１】
以下、図３に基づき、他の移動通信端末の認証情報を利用する終端端末へのサービス提供のためのサービスサーバーを説明する。
【００４２】
図３は、本発明の実施形態に係るサービスサーバーのブロック図である。
図３に示すように、本実施形態に係る他の移動通信端末の認証情報を利用する終端端末へのサービス提供のためのサービスサーバー１１０（以下、説明の便宜のために、特に言及のない限り、「他の移動通信端末の認証情報を利用する終端端末へのサービス提供のためのサービスサーバー」は、「サービスサーバー」と略称する。）における通信部１１１は、移動通信網を介してデータを送受信する。
【００４３】
移動通信端末管理部１１２は、通信部１１１を介して受信された第１の移動通信端末および第２の移動通信端末の情報を管理する。
【００４４】
終端端末管理部１１３は、通信部１１１を介して受信された終端端末の情報を管理する。
【００４５】
近距離通信網管理部１１４は、第１の移動通信端末と終端端末との間、および第２の移動通信端末と終端端末との間の通信を中継する近距離通信網の情報を管理する。
【００４６】
記憶部１１６は、第１の移動通信端末および第２の移動通信端末の情報、終端端末の情報、近距離通信網の情報および終端端末に提供された第１の移動通信端末の認証情報を記憶する。
【００４７】
制御部１１５は、各構成要素の動作を制御し、終端端末の要請に応じて第１の移動通信端末の認証情報を提供するように通信部１１１を制御し、第２の移動通信端末を介して接続された終端端末が第１の移動通信端末の認証情報を提供した場合に終端端末のサービス利用を認証する。ここで、制御部１１５は、終端端末と、第２の移動通信端末とによって選択された認証オプションが一致する場合に限って終端端末のサービス利用を認証することが好ましい。認証オプションは、課金責任所在に関する重要な情報を含んでいるため、各移動通信端末所有者の争いなどを防止するために必ず一致する必要がある。しかしながら、サービスの利用に伴う料金が発生しない場合には認証オプションが必ず一致する必要はない。
【００４８】
以下、図４に基づき、本発明の実施形態に係るサービスサーバーによる他の移動通信端末の認証情報を利用する終端端末へのサービス提供方法を説明する。
【００４９】
図４は、本発明の実施形態に係るサービスサーバーによるサービス提供方法のフローチャートである。
図４に示すように、本実施形態に係るサービスサーバーによる他の移動通信端末の認証情報を利用する終端端末へのサービス提供方法（以下、説明の便宜のために、特に言及のない限り、「サービスサーバーによる他の移動通信端末の認証情報を利用する終端端末へのサービス提供方法」は、「サービスサーバーによるサービス提供方法」と略称する。）は、ステップ１において、終端端末から第１の移動通信端末の認証情報要請を受ける（Ｓ２００）。
【００５０】
ステップ２において、第１の移動通信端末の承認によって終端端末に第１の移動通信端末の認証情報を提供する（Ｓ２１０）。認証情報が提供された場合に、第１の移動通信端末に関する情報に認証情報が提供された旨が記録される。
【００５１】
ステップ３において、第２の移動通信端末を介して第１の移動通信端末の認証情報を有する終端端末の接続要請を受ける（Ｓ２２０）。
【００５２】
ステップ４において、終端端末と、第２の移動通信端末とによって選択された認証オプションが一致するか否かを確認する（Ｓ２３０）。前記終端端末と、第２の移動通信端末とによって選択された認証オプションが一致する場合に、第２の移動通信端末に関する情報に認証オプション情報が記録される。
【００５３】
ステップ５において、前記終端端末と、第２の移動通信端末とによって選択された認証オプションが一致する場合に、終端端末にサービスを提供する（Ｓ２４０）。
【００５４】
一方、このようなサービスサーバーによる他の移動通信端末の認証情報を利用する終端端末へのサービス提供方法は、記憶媒体にプログラムとして記憶される。
【００５５】
以下、図５に基づき、本発明の実施形態に係る他の移動通信端末の認証情報を利用する終端端末への接続を許容する移動通信端末を説明する。
【００５６】
図５は、本発明の実施形態に係る移動通信端末のブロック図である。
図５に示すように、本実施形態に係る他の移動通信端末の認証情報を利用する終端端末への接続を許容する移動通信端末１４２（以下、説明の便宜のために、特に言及のない限り、「他の移動通信端末の認証情報を利用する終端端末への接続を許容する移動通信端末」は、「移動通信端末」と略称する。）における第１の通信部１４３は、移動通信網を介してデータを送受信する。
【００５７】
第２の通信部１４４は、近距離通信網を介してデータを送受信する。様々な近距離通信網の種類に対応するために、第２の通信部１４４は２以上の近距離通信網通信規格を有する。
【００５８】
終端端末管理部１４５は、終端端末の情報を管理する。
制御部１４６は、各構成要素の動作を制御するが、近距離通信網を介して接続された終端端末に対する認証オプションを選択し、前記終端端末に対する認証オプションと、終端端末によって選択された認証オプションとが一致する場合に終端端末とサービスサーバーとの間の接続を承認する。
【００５９】
記憶部１４７は、自分の認証情報を記憶する。記憶部１４７に記憶された認証情報は、サービスサーバーおよび終端端末に提供されてもよい。
【００６０】
以下、図６に基づき、本発明の実施形態に係る移動通信端末による他の移動通信端末の認証情報を利用する終端端末への接続許容方法を説明する。
【００６１】
図６は、本発明の実施形態に係る移動通信端末による接続許容方法のフローチャートである。
図６に示すように、本実施形態に係る移動通信端末による他の移動通信端末の認証情報を利用する終端端末への接続許容方法（以下、説明の便宜のために、特に言及のない限り、「移動通信端末による他の移動通信端末の認証情報を利用する終端端末への接続許容方法」は、「移動通信端末による接続許容方法」と略称する。）は、ステップ１において、他の移動通信端末の認証情報を有する終端端末が接続される（Ｓ３００）。
【００６２】
ステップ２において、認証情報をサービスサーバーに転送し、終端端末に対する認証オプションを選択して終端端末によって選択された認証オプションと一致するか否かを確認する（Ｓ３１０）。
【００６３】
ステップ３において、選択された終端端末に対する認証オプションと、終端端末によって選択された認証オプションとが一致する場合に、終端端末とサービスサーバーとの間の接続を中継する（Ｓ３２０）。
【００６４】
一方、このような移動通信端末による他の移動通信端末の認証情報を利用する終端端末への接続許容方法は、記憶媒体にプログラムとして記憶される。
【００６５】
以下、図７に基づき、本発明の実施形態に係る他の移動通信端末の認証情報を用いてサービスを利用するための終端端末を説明する。
【００６６】
図７は、本発明の実施形態に係る終端端末のブロック図である。
図７に示すように、本実施形態に係る他の移動通信端末の認証情報を用いてサービスを利用するための終端端末１５０（以下、説明の便宜のために、特に言及のない限り、「他の移動通信端末の認証情報を用いてサービスを利用するための終端端末」は、「終端端末」と略称する。）における通信部１５１は、近距離通信網を介してデータを送受信する。
【００６７】
入力部１５２には、ユーザーの指令を入力される。入力部１５２としては、スイッチ、キーパッド、キーボード、タッチスクリーンなどの入力手段が使用可能である。
【００６８】
再生部１５３は、サービスサーバーから受信されたサービス内容を再生する。
記憶部１５５は、サービスサーバーから受信された第１の移動通信端末および／または第２の移動通信端末の認証情報を記憶する。
【００６９】
制御部１５４は、各構成要素の動作を制御するが、入力部１５２を介して入力されたユーザーの指令に応じて、サービスサーバーから第１の移動通信端末の認証情報を受信し、第２の移動通信端末と接続された場合には第１の移動通信端末の認証情報を第２の移動通信端末に送信し、入力部１５２を介して入力された認証オプションを第２の移動通信端末に送信するように通信部１５１を制御する。
【００７０】
以下、図８に基づき、本発明の実施形態に係る終端端末による他の移動通信端末の認証情報を用いたサービス利用方法を説明する。
【００７１】
図８は、本発明の実施形態に係る終端端末によるサービス利用方法のフローチャートである。
図８に示すように、本実施形態に係る終端端末による他の移動通信端末の認証情報を用いたサービス利用方法（以下、説明の便宜のために、特に言及のない限り、「終端端末による他の移動通信端末の認証情報を用いたサービス利用方法」は、「終端端末によるサービス利用方法」と略称する。）は、ステップ１において、サービスサーバーに第１の移動通信端末の認証情報を要請する（Ｓ４００）。
【００７２】
ステップ２において、サービスサーバーから認証情報を受信して記憶する（Ｓ４１０）。
ステップ３において、認証オプションを選択する（Ｓ４２０）。
ステップ４において、サービスサーバーの認証によってサービスを利用する（Ｓ４３０）。
【００７３】
一方、このような終端端末による他の移動通信端末の認証情報を用いたサービス利用方法は、記憶媒体にプログラムとして記憶される。
【００７４】
以下、本発明の適用例を説明する。
ステップ１において、ユーザーが終端端末を用いて第１の移動通信端末を介してサービスサーバーに接続した後、サービスを利用する。
【００７５】
ステップ２において、第１の移動通信端末の使用不能状態に備えるために、終端端末を用いてサービスサーバーに認証情報を要請する。
【００７６】
ステップ３において、サービスサーバーは、第１の移動通信端末からの認証情報の提供を許容するか否かを判断し、第１の移動通信端末からの認証情報の提供を許容する場合に認証情報を終端端末に送信する。
【００７７】
ステップ４において、第１の移動通信端末が故障、バッテリー放電など何らかの原因によって正常に動作できなくなった場合に、ユーザーは、近距離通信網を介して第２の移動通信端末を検索し、第２の移動通信端末を介してサービスサーバーに接続する。
【００７８】
ステップ５において、終端端末が第１の移動通信端末の認証情報をサービスサーバーに送信し、認証オプションを選択する。
【００７９】
ステップ６において、第２の移動通信端末が認証オプションを選択する。
ステップ７において、サービスサーバーは、終端端末と、第２の移動通信端末とによって選択された認証オプションが一致するか否かを確認して、両者が一致する場合に終端端末のサービス利用を承認する。
【００８０】
これにより、ユーザーは他人所有の第２の移動通信端末を介してサービスを利用し、サービス利用に伴う課金は本人所有の第１の移動通信端末に対して行われる。このため、ユーザーと他人との間の課金の打ち合わせが不要になり、終端端末が簡単に第２の移動通信端末を介してサービスサーバーからのサービスを利用することが可能となる。
【００８１】
以上、本発明の実施形態を添付図面に基づいて説明した。
しかしながら、本発明は、上述した実施形態に限定されるものではなく、必要に応じて、当業者にとって特許請求の範囲の精神及び思想内において様々な修正および変更が可能であることに留意されたい。
【産業上の利用可能性】
【００８２】
本発明によれば、終端端末が第１の移動通信端末の認証情報のみを有している場合にも第２の移動通信端末を介してサービスサーバーに接続してサービスを利用できるようにする技術が提供される。
【符号の説明】
【００８３】
１００  サービス提供システム
１０１  有線通信網
１０２  移動通信網
１０３  近距離通信網
１１０  サービスサーバー
１２０  アプリケーションサーバー
１３０  課金サーバー
１４０  第１の移動通信端末
１４２  第２の移動通信端末
１５０  終端端末
【図１】
0005272081.tif 000002
【図２】
0005272081.tif 000003
【図３】
0005272081.tif 000004
【図４】
0005272081.tif 000005
【図５】
0005272081.tif 000006
【図６】
0005272081.tif 000007
【図７】
0005272081.tif 000008
【図８】
0005272081.tif 000009